(57)【要約】      （修正有）【課題】従来の光合波器のホルダブロックは、対向する平行２面間に光信号を反射させ、光信号を合波又は分波するため、そのサイズが大きくなり、光合分波器内蔵光モジュールも大型化する問題があった。【解決手段】ホルダブロック８と、ホルダブロック８の第一の面８ａに配置された第一のミラー７と、第二の面８ｂに配置され選択した波長の光は透過し非選択の波長の光は反射する第一の光フィルタ６ａと、第三の面８ｃに配置された第ニのミラー９または第一の光フィルタ６ａとは選択される波長が異なり、選択した波長の光は透過し非選択の波長の光は反射する他の光フィルタと、を備え、第二の面８ｂと第三の面８ｃは相まって凸面を構成する形態で設けられ、第一の面８ａは、第二の面８ｂ及び第三の面８ｃと対向し離隔して設けられるとともに、第一の面８ａの法線１０ａに対して、第二の面８ｂの法線１０ｂ及び第三の面８ｃの法線１０ｃが線対称の関係にある。【選択図】図１
2020076847.tif 000002
【特許請求の範囲】
【請求項１】
光学部品を支持するためのホルダブロックと、
このホルダブロックの第一の面に配置され、光を反射する第１のミラーと、
前記ホルダブロックの第二の面に配置され、選択された波長の光は透過させ、選択されなかった波長の光は反射させる第１の光フィルタと、
前記ホルダブロックの第三の面に配置された、光を反射する第２のミラー、または、前記第１の光フィルタとは選択される波長が異なっているとともに選択された波長の光は透過させ選択されなかった波長の光は反射させる第２の光フィルタと、
を備え、
前記ホルダブロックの前記第二の面と前記第三の面は、当該ホルダブロックの表面で相まって凸面を構成する形態で設けられ、前記第一の面は、前記第二の面および前記第三の面と対向するように離隔して配置されるとともに、前記第一の面の法線に対して、前記第二の面の法線および前記第三の面の法線が互いに線対称の関係にあるように設けられていることを特徴とする光合分波器。
【請求項２】
請求項１に記載の光合分波器と、
互いに波長の異なる複数の光源と、
を備えたことを特徴とする光合分波器内蔵光モジュール。
【請求項３】
前記光合分波器を内蔵するパッケージと、
前記光合分波器を搭載する光合分波器搭載部と、
を有し、
前記光合分波器搭載部の前記光合分波器を搭載する面が、基準面となる前記パッケージの底面に対して、前記第一の面の法線と、前記第二の面の法線のなす角度から定まる角度だけ傾いていることを特徴とする請求項２に記載の光合分波器内蔵光モジュール。
【請求項４】
ひな壇状の半導体レーザ搭載部を有し、波長の異なる複数の光源が前記半導体レーザ搭載部にひな壇状に配置されていることを特徴とする請求項２に記載の光合分波器内蔵光モジュール。
【発明の詳細な説明】
【技術分野】
【０００１】
本願は、光合分波器および光合分波器内蔵光モジュールに関するものである。
【背景技術】
【０００２】
光伝送システムにおいては、近年の急激な通信容量の増大に対応するため、複数の波長信号を一本の光ファイバに束ねて、光信号を送受信する波長多重光伝送方式が広く採用されている。この波長多重光伝送方式において、波長の異なる複数の光信号を合波して一本の光ファイバに合波する、あるいは一本の光ファイバの中を伝搬している、波長の異なる複数の光信号を個々の波長に分波するための光学部品が光合分波器である。光合分波器には、導波路に合分波機能を持たせた光導波路タイプと、光フィルタの波長透過特性を利用して合分波機能を実現している空間結合タイプの２種類がある。空間結合タイプの光合分波器は小型で、低光損失な特長を有するため、波長多重光伝送用送受信装置に広く採用されている。
【先行技術文献】
【特許文献】
【０００３】
【特許文献１】特開2009-105106号公報
【発明の概要】
【発明が解決しようとする課題】
【０００４】
従来の光合波器は、光合波器本体であって光学部品を支持するためのホルダブロック、光学部品である光フィルタおよびミラーの３つの主要な要素で構成されている。そして、光学部品である光フィルタおよびミラーは、ホルダブロックの平行な２面に貼り付けられて支持されている。なお、光分波器の場合にも、ホルダブロック、光フィルタおよびミラーの構成は全く同じであり、以下においては、波長多重光伝送用送受信装置に用いられる光合波器として説明を行う。
【０００５】
波長多重光伝送用送受信装置の信号源（例えば４個の半導体レーザＬＤｉ（ｉ＝ａ、ｂ、ｃ、ｄ）からは、４種類の波長λｉ（ｉ＝ａ、ｂ、ｃ、ｄ）の光信号が出射され、光合波器の外側の光信号入射側に設置されたレンズにより平行光に変換された後、光合波器に入射する。光合波器の光信号入射側に配置された光フィルタｆｉ（ｉ＝ａ、ｂ、ｃ、ｄ）は、対応する光信号の波長λｉは透過するが、その他の波長は反射するという波長透過特性を有している。このため、波長λｉの光信号は、光フィルタｆｉを透過し、ホルダブロックに入射し、光合波器の光信号出射側に配置されたミラーと光フィルタｆj（ｊ≠ｉ）の間を反射し、光合波器から出射される。このようにして、半導体レーザＬＤｉからの出射ビームは、光合波器によって合波されて出射される。光合波器からの出射ビームは、光合波器の光信号出射側に配置された別のレンズにより光ファイバに集光された後、光伝送装置より波長多重光信号として送信される。なお、光合波器の場合、光フィルタｆｄで反射される光信号はないため、光フィルタｆｄは省くことが出来る。
【０００６】
ここで、光合波器を内蔵する光モジュールである光合分波器内蔵光モジュールは、光伝送装置に高密度に実装されるため、小型化が重要となる。光合波器内蔵光モジュールのサイズは、光合波器の最も大きな構成部品であるホルダブロックのサイズに大きく依存している。特に、ホルダブロックのサイズのうち、とりわけ実装面積に大きく影響する長さ（光の進行方向の寸法）と幅（半導体レーザ光源の並び方向の寸法。以下、半導体レーザ光源は単に光源と呼ぶ）が重要となる。
【０００７】
このホルダブロックの長さは、光フィルタへの光信号の入射角と、半導体レーザ間のピッチ（設置間隔）で決まる。光フィルタへの光信号の入射角はフィルタの透過特性の入射角依存性によって決まるが、ＬＡＮの公的規格であるＩＥＥＥ １００ＧＢＡＳＥ―ＬＲ４で規定されているような、狭い波長帯域に適用される光フィルタの場合、５°程度に設定される。
【０００８】
一方、半導体レーザ間のピッチは、半導体レーザに変調電気信号を伝える高周波線路のサイズ、あるいは第一レンズのサイズによって決まり、少なくとも１ｍｍ程度は必要となる。ホルダブロックの一面に対して５°の角度で光信号が往復し、半導体レーザ間のピッチが最小で１ｍｍの間隔になることから、ホルダブロックの長さは最小で約５．７ｍｍ（＝１ｍｍ／２／ｔａｎ５°）となる。また、ホルダブロックの幅は、上記ピッチと光源の数で決まっており、ピッチが１ｍｍ、光源の数が４であることから約４ｍｍとなる。
【０００９】
以上のように、従来の光合波器のホルダブロックは、対向する平行な２面の間に光信号を反射させて、波長の異なる光信号を合波または分波するため、ホルダブロックのサイズが、例えば、長さ５．７ｍｍ、幅４ｍｍと大きくなるという問題があった。また、ホルダブロックが大きくなることで、光合分波器および光合分波器を内蔵する光モジュールも大型化するという問題があった。
【００１０】
本願は上記のような問題点を解消するための技術を開示するもので、光合波器本体であって光学部品を支持するホルダブロックを小型にすることにより、小型化した光合分波器および小型の光合分波器内蔵光モジュールを提供することを目的とする。
【課題を解決するための手段】
【００１１】
本願に開示される光合分波器は、
光学部品を支持するためのホルダブロックと、
このホルダブロックの第一の面に配置され、光を反射する第１のミラーと、
前記ホルダブロックの第二の面に配置され、選択された波長の光は透過させ、選択されなかった波長の光は反射させる第１の光フィルタと、
前記ホルダブロックの第三の面に配置された、光を反射する第２のミラー、または、前記第１の光フィルタとは選択される波長が異なっているとともに選択された波長の光は透過させ選択されなかった波長の光は反射させる第２の光フィルタと、
を備え、
前記ホルダブロックの前記第二の面と前記第三の面は、当該ホルダブロックの表面で相まって凸面を構成する形態で設けられ、前記第一の面は、前記第二の面および前記第三の面と対向するように離隔して配置されるとともに、前記第一の面の法線に対して、前記第二の面の法線および前記第三の面の法線が互いに線対称の関係にあるように設けられていることを特徴とするものである。
【発明の効果】
【００１２】
本願に開示される光合波器によれば、光合波器本体であって光学部品を支持するホルダブロックを小型にすることにより、小型化した光合分波器および小型の光合分波器内蔵光モジュールを提供することができる。
【図面の簡単な説明】
【００１３】
【図１】実施の形態１による光合分波器の一例を説明するための概要図である。
【図２】実施の形態１による光合分波器内蔵光モジュールの一例を説明するための概要図である。
【図３】実施の形態１による光合波器内蔵光モジュールの他の例を説明するための概要図である。
【図４】実施の形態２による光合分波器の一例を説明するための概要図である。
【図５】実施の形態２による光合分波器内蔵光モジュールの一例を説明するための概要図である。
【発明を実施するための形態】
【００１４】
実施の形態１．
以下、実施の形態１の光合分波器および光合分波器内蔵光モジュールの一例を図１および図２に基づいて説明する。図１は、光合分波器の一例を説明するための概要図、図２は光合分波器内蔵光モジュールの一例を説明するための概要図である。図１において、図１（ａ）は光合分波器の正面図、図１（ｂ）は光合分波器の側面図、図１（ｃ）は光合分波器の背面図である。また、図２において、図２（ａ）は光合分波器内蔵光モジュールの平面図、図２（ｂ）は光合分波器内蔵光モジュールの側面図である。
【００１５】
図１において、実施の形態１の光合分波器は、波長λｉ（ｉ＝ａ、ｂ、ｃ、ｄ）の光信号は透過するが、その他の波長は反射するという波長透過特性を有している第１の光フィルタ６ａ、６ｂ、６ｃ、６ｄ、および全ての波長の光信号を反射する第１のミラー７および第２のミラー９、第１の光フィルタと第１のミラー７および第２のミラー９を接着し保持するホルダブロック８を主要な構成要素として備える。ここで、ホルダブロック８は、第１のミラー７を配置する第一の面８ａと、この第一の面８ａに対向し、光フィルタを配置する第二の面８ｂおよび第２のミラー９を配置する第三の面８ｃを有し、かつ第一の面８ａの法線１０ａに対して、第二の面８ｂの法線１０ｂ、第三の面８ｃの法線１０ｃが互いに線対称になるよう配置されている。また、第二の面８ｂと第三の面８ｃとがホルダブロック８の表面で、相まって凸面を構成する形態で設けられている。
なお、図１では、第二の面８ｂと第三の面８ｃとが隣接して配置される例を示したが、これに限らず、これら２面の間に、これらを繋ぐ他の１面を上述の線対称の配置条件を満足する形で設けてもよい。また、上記の法線は、以下で説明するように、ホルダブロック８中を伝搬する光信号の経路でもあるので、ここでは、便宜的に、光信号の進行方向を示す矢印を付けて示している。
【００１６】
図２において、実施の形態１の光合分波器内蔵光モジュールは、波長λｉ（ｉ＝ａ、ｂ、ｃ、ｄ）の各光信号源である半導体レーザ１ａ、１ｂ、１ｃ、１ｄ、半導体レーザ１ｉ（ｉ＝ａ、ｂ、ｃ、ｄ）の出射光を平行光に変換するレンズ２、異なる波長λｉ（ｉ＝ａ、ｂ、ｃ、ｄ）の光信号を合波する光合波器３、光合波器３で合波された光信号を集光するための集光レンズ４、集光レンズ４で集光された光を光伝送装置から波長多重光信号として送信するための光ファイバ５を有している。
【００１７】
なお、図１（ｂ）は光合分波器の側面図、図２（ｂ）は光合分波器内蔵光モジュールの側面図を示しているが、これらの側面図では、光合波器および光合波器の中を伝搬する光信号の伝搬経路を、側面図の中に光合波器などに重ねて示すため（例えば図１（ａ）に示す光合波器の正面図の側面図に、この伝搬経路を透視して、図中に重ねて示すため）、側面から投影した場合の光信号の伝搬経路を、その進行方向に矢印を付けて、光合波器の側面図に重ねて記載した図として便宜的に示している。従って、実際には、この側面図の奥行き方向（光源の並び方向）に対して、光信号は斜めに伝搬している。
【００１８】
この実施の形態１の光合分波器、あるいは光合分波器内蔵光モジュールは、以上のように構成されている。このため、波長多重光伝送装置の信号源である半導体レーザ１ｉ（ｉ＝ａ、ｂ、ｃ、ｄ）からは波長λｉ（ｉ＝ａ、ｂ、ｃ、ｄ）の光信号が出射され、レンズ２により平行光に変換され、光合波器３に入射する。また、光合波器の第１の光フィルタ６ａ、６ｂ、６ｃ、６ｄは、それぞれ、対応する光信号の波長λｉ（ｉ＝ａ、ｂ、ｃ、ｄ）は透過するが、その他の波長は反射するという波長透過特性を有している。このため、波長λｉの光信号は、ホルダブロック８の第二の面８ｂに配置された第１の光フィルタ６ａ、６ｂ、６ｃ、６ｄをそれぞれ透過し、ホルダブロック８に入射し、ホルダブロック８の第一の面８ａに配置された第１のミラー７で反射される。
【００１９】
ここで、波長λａの光信号を、図１（ｂ）に示した第二の面８ｂの法線１０ｂに沿って入射させれば、第三の面８ｃの法線１０ｃと第二の面８ｂの法線１０ｂは、第一の面８ａの法線１０ａに対して線対称であるため、図２（ｂ）に示すように、第１のミラー７で反射された波長λａの光信号は、第三の面８ｃの法線１０ｃに沿って進み、第２のミラー９に垂直に入射し、反射される。なお、λｉ（ｉ＝ｂ、ｃ、ｄ）の光信号についても、同様である。
【００２０】
このように、波長λｉ（ｉ＝ａ、ｂ、ｃ、ｄ）の光信号は、第２のミラー９に垂直に入射するので、反射した光信号は、第三の面８ｃの法線１０ｃに沿って逆に進み、第１のミラー７で反射される（図２（ｂ）参照）。
【００２１】
なお、図１（ｂ）に示すように、第三の面８ｃの法線１０ｃと第二の面８ｂの法線１０ｂは、第一の面８ａの法線１０ａに対して線対称となるように構成されているため、図２（ｂ）に示すように、第１のミラー７で反射された光信号は、第二の面８ｂの法線１０ｂに沿って、第１の光フィルタ６ｊに垂直に入射し、反射された後、再び第１のミラー７で反射される。ここでｊ≠ｉ、ｊ＝ａ、ｂ、ｃ、ｄである。
【００２２】
なお、半導体レーザ１ｉ（ｉ＝ａ、ｂ、ｃ、ｄ）からの出射ビームは、光合波器３によって合波されて出射される。光合波器３からの出射ビームは、図２に示すように、集光レンズ４により光ファイバ５に集光され、光伝送装置より波長多重光信号として送信される。
【００２３】
このように、本実施の形態１による光合分波器および光合波器内蔵光モジュールでは、第１のミラー７と第１の光フィルタ６ａ、６ｂ、６ｃ、６ｄ、および第２のミラー９の間で反射する際に、ホルダブロック８を光信号が２往復することになる。
【００２４】
以上説明したように、本実施の形態の光合分波器および光合波器内蔵光モジュールでは、第１のミラー７と第１の光フィルタ６ａ、６ｂ、６ｃ、６ｄ、および第２のミラー９の間で反射する際に、ホルダブロック８を、光信号が２往復することになる。このため、フィルタへの入射角が同じであったとしても半導体レーザ間のピッチに相当する間隔を得るためのホルダブロック８の長さが、従来に比べ半分にすることができ、光合分波器および光合波器内蔵光モジュールを小型にすることができる。
【００２５】
次に、実施の形態１の光合波器内蔵光モジュールの他の例について説明する。
図３は、実施の形態１の光合波器内蔵光モジュールの他の例を説明する図である。上述の図１、図２の場合と比較して、半導体レーザを搭載あるいは収納する半導体レーザ搭載部１２、光合波器を搭載あるいは収納する光合波器搭載部１３が追加されるとともに、半導体レーザ及び光合波器を搭載あるいは収容するパッケージの底面１１が追加されている点が異なる。
【００２６】
図２（ｂ）に示した実施の形態１の一例では、光合波器３をパッケージの底面１１に水平に搭載し、半導体レーザ１ａからの出射光を斜めにして、斜めに光合波器３に入射されるような構成になっている。このような場合には、パッケージの底面に対して斜めに光信号が進む構成となり、半導体レーザ１ａと光ファイバ５の高さがずれて、光モジュールの高さが高くなったり、斜めに光ファイバ５に光信号が入射するため調芯し難くなるという課題が生じる。
【００２７】
そこで、この実施の形態１の光合波器内蔵光モジュールの他の例においては、光合波器３を搭載する面が、基準面となるパッケージの底面１１に対して、第一の面の法線と、第二の面の法線のなす角度から定まる角度、言い換えれば、第一の面の法線と、第二の面の法線が交叉して形成する角度の１／２に略等しい角度（具体的にはレーザ光の透過入射角依存性を考慮して５度から１０度の間の値に設定される。最も典型的な値としては７度。）だけ傾けるように構成した。このように構成することによって、半導体レーザ１ａからの出射光をパッケージの底面１１に対して水平にすることが出来るようになり、光モジュールの高さが低くなるとともに調芯しやすい小型の光モジュールを得ることができるようになる。
【００２８】
なお、上記実施の形態１では、波長の異なる半導体レーザを４個搭載した光合波器、あるいは光合分波器内蔵光モジュールの例を示したが、より多くの半導体レーザを搭載しても良い。また、上記実施の形態１の光合分波器内蔵光モジュールの説明では、光合波器を内蔵した光送信モジュールの例を示したが、光分波器を内蔵した光受信モジュールでも良い。
【００２９】
実施の形態２．
以下では、実施の形態２の光合波器、および光合波器内蔵光モジュールについて、図４および図５を用いて説明する。
図４は、実施の形態２による光合分波器の一例を説明するための概要図である。また、図５は、実施の形態２による光合分波器内蔵光モジュールの一例を説明するための概要図である。
【００３０】
図４に示したように、実施の形態２による光合分波器は、波長の異なる光信号を合波する光合波器３と、波長λｉ（ｉ＝ｂ、ｄ、ｅ、ｆ）の光信号は透過するが、その他の波長λｊ（ｊ≠ｉ，ｉ＝ｂ、ｄ、ｅ、ｆ）は反射するという波長透過特性を有している第１の光フィルタ６ｂ、６ｄ、および第２の光フィルタ６ｅ、６ｆと、全ての波長の光信号を反射する第１のミラー７と、第１の光フィルタ６ｂ、６ｄ、第２の光フィルタ６ｅ、６ｆ、および第１のミラー７を接着し保持するホルダブロック８と、を備えている。ここで、ホルダブロック８は、第１のミラー７を配置する第一の面８ａと、第一の面に対向し、光フィルタを配置する第二の面８ｂおよび第三の面８ｃを有し、かつ、図４において、第一の面８ａの法線１０ａに対して、第二の面８ｂの法線１０ｂ、第三の面８ｃの法線１０ｃが線対称となるよう構成されている。
【００３１】
また、図５に示したように、実施の形態２による光合分波器内蔵光モジュールは、波長λｉ（ｉ＝ｂ、ｄ、ｅ、ｆ）の光信号源である半導体レーザ１ｉ（ｉ＝ｂ、ｄ、ｅ、ｆ）、半導体レーザ１ｉ（ｉ＝ｂ、ｄ、ｅ、ｆ）の出射光を平行光に変換するレンズ２ｋ（ｋ＝ｂ、ｅ）、互いに異なる波長λｉ（ｉ＝ｂ、ｄ、ｅ、ｆ）の光信号を合波する光合波器３、光合波器３で合波された光信号を集光するための集光レンズ４、集光レンズ４で集光された光を光伝送装置より波長多重光信号として送信するための光ファイバ５、半導体レーザ１ｉ（ｉ＝ｂ、ｄ、ｅ、ｆ）の高さを変えて搭載するためのひな壇状の構造を持つ半導体レーザ搭載部１２、およびパッケージ（この図ではパッケージの底面１１のみ示す）を備えている。図５に示したように、半導体レーザ１ｂ、１ｄが半導体レーザ搭載部１２の上段に、半導体レーザ１ｅ、１ｆが半導体レーザ搭載部１２の下段に搭載されている。
【００３２】
なお、図４および図５における側面図においても、実施の形態１で説明したのと同様に、光合波器３および光合波器の中を伝搬する光信号の伝搬経路が透視され、各図中に矢印で重ねて記載されている。従って、実際にはこれらの側面図の奥行き方向（光源の並び方向）に光信号は斜めに伝搬している。
【００３３】
この実施の形態２の光合波器、および光合波器内蔵光モジュールは、以上のように構成されている。そこで、ここでは、波長λｂと波長λｅの２種類の光信号を主な例にして実施の形態２の作用を以下説明する。
【００３４】
半導体レーザ搭載部１２の上段に搭載された半導体レーザ１ｂからは波長λｂの光信号が出射され、レンズ２ｂにより平行光に変換される。
【００３５】
この際、側面図上で光合波器の第１の光フィルタ６ｂに垂直入射するようにレンズ２ｂは調整される。このため、第１の光フィルタ６ｂを透過した波長λｂの光信号は、ホルダブロックの第二の面の法線１０ｂに沿って、ホルダブロック８に入射し、ホルダブロック８の第一の面８ａに配置された第１のミラー７で反射される。なお、波長λｄの光信号も同様に図示しない第１の光フィルタ６ｄに垂直に入射し、第１のミラー７で反射される。
【００３６】
ここで第三の面８ｃの法線１０ｃと第二の面８ｂの法線１０ｂは、第一の面８ａの法線１０ａに対して線対称になるよう構成されているため、第１のミラー７で反射された波長λｂの光信号は、第三の面８ｃの法線１０ｃに沿って進み、側面図上で第２の光フィルタ６ｅに垂直に入射し、反射される。なお、波長λｄの光信号も同様に、図示しない第２の光フィルタ６ｆに垂直に入射し、反射される。
【００３７】
側面図上では、波長λｂの光信号は、第２の光フィルタ６ｅに垂直入射するので、反射した光信号は、第三の面８ｃの法線１０ｃに沿って逆に進み、ホルダブロックの第一の面８ａの第１のミラー７の無い箇所から出射し、集光レンズ４によって光ファイバ５に集光され、光伝送装置より波長多重光信号として送信される（図５中の実線で示した矢印参照）。
【００３８】
一方、半導体レーザ搭載部１２の下段に搭載された半導体レーザ１ｅからは波長λｅの光信号が出射され、レンズ２ｅにより平行光に変換される。この際、側面図上で光合波器の第２の光フィルタ６ｅに垂直入射するようにレンズ２ｅは調整される（図５中の点線で示した矢印参照）。なお、波長λｆの光信号も同様に、図示しない第２の光フィルタ６ｆに垂直に入射するよう、レンズ２ｅは調整されている。
【００３９】
このため、第２の光フィルタ６ｅを透過した波長λｅの光信号は、ホルダブロックの第三の面の法線１０ｃに沿って、ホルダブロック８に入射する。このとき、波長λｂと波長λｅの光信号は平行にホルダブロックを進み、光合波器３により合波されたことになる。波長λｅの光信号も、ホルダブロックの第一の面８ａの第１のミラー７の無い箇所から出射し、集光レンズ４によって光ファイバ５に集光され、光伝送装置より波長多重光信号として送信される。なお、波長λｄと波長λｆの光信号の動作も同様である。
【００４０】
このように、本実施の形態による光合分波器および光合波器内蔵光モジュールでは、ホルダブロックの第一の面８ａに配置された第１のミラー７、第二の面８ｂに配置された第１の光フィルタ６ｂ、６ｄ、および第三の面８ｃに配置された第２の光フィルタ６ｅ、６ｆの間で反射して光信号が合波されることになる。
【００４１】
以上説明したように、本実施の形態の光合波器内蔵光モジュールでは、半導体レーザがひな壇状に高さを変えて搭載され、なおかつ半導体レーザから出射された光信号がホルダブロックの第二または第三の面から光フィルタを介してホルダブロックに入射し、ミラーで反射された光信号が第二または第三の面の光フィルタで上下に反射して伝搬することになる。
【００４２】
このため、同じ高さの搭載部に搭載された半導体レーザ間のピッチが同じであったとしても、上下２段に半導体レーザを搭載できるため、従来に比べ、ホルダブロックの幅を概ね半分にすることができ、光合波器内蔵光モジュールを小型にすることができる。
【００４３】
なお、本願は、様々な例示的な実施の形態及び実施例が記載されているが、１つ、または複数の実施の形態に記載された様々な特徴、態様、及び機能は特定の実施の形態の適用に限られるのではなく、単独で、または様々な組み合わせで実施の形態に適用可能である。従って、例示されていない無数の変形例が、本願明細書に開示される技術の範囲内において想定される。例えば、少なくとも１つの構成要素を変形する場合、追加する場合または省略する場合、さらには、少なくとも１つの構成要素を抽出し、他の実施の形態の構成要素と組み合わせる場合が含まれるものとする。
【００４４】
例えば、上記実施の形態では波長の異なる半導体レーザを４個搭載した例を示したが、より多くの半導体レーザを搭載しても良い。また、上記実施の形態では、光合波器を内蔵した光送信モジュールの例を示したが、光分波器を内蔵した光受信モジュールでも良い。
【符号の説明】
【００４５】
１ａ、１ｂ、１ｃ、１ｄ  半導体レーザ、２、２ｂ、２ｅ  レンズ、３  光合波器、４  集光レンズ、５  光ファイバ、６ａ、６ｂ、６ｃ、６ｄ  第１の光フィルタ、６ｅ、６ｆ  第２の光フィルタ、７  第１のミラー、９  第２のミラー、８ａ  第一の面、８ｂ  第二の面、８ｃ  第三の面、１０ａ、１０ｂ、１０ｃ  法線、１１  パッケージの底面、１２  半導体レーザ搭載部、１３  光合波器搭載部
【図１】
2020076847.tif 000003
【図２】
2020076847.tif 000004
【図３】
2020076847.tif 000005
【図４】
2020076847.tif 000006
【図５】
2020076847.tif 000007